(57)【要約】【課題】ファインダ及び自動焦点検出機構をカメラの高さを高くすることなく配置構成することによって、小型なカメラを提供することにある。【解決手段】撮影レンズからの光束は、クイックリターンミラー３１でボディユニット３０の横方向に反射され、一部を除いてハーフミラー７１、スクリーン７２を介して第２ミラー７３でボディユニット３０の上方向へ反射される。第２ミラー７３で反射された光束は、第３ミラー７４でクイックリターンミラー３１で反射された光束と反対方向に反射され、更に第４ミラーによってボディユニット３０後方のアイピース側に反射される。また、上記ハーフミラー７１で反射された一部の光束は、ＡＦセンサユニット３５に取り込まれて上記撮影レンズの焦点位置が検出される。【選択図】      図２
2005221952.tif 000002
【特許請求の範囲】
【請求項１】
撮像光学系からの光束を所定の方向へ向けて反射する第１の反射面と、
上記第１の反射面の反射光軸上に配置され、上記第１の反射面からの反射光束の少なくとも一部を上記反射光軸とは異なる方向に向けて反射する第２の反射面と、
上記第２の反射面からの反射光束を用いて、上記撮像光学系の焦点位置を検出するための焦点位置検出手段と、
を具備することを特徴とするカメラ。
【請求項２】
上記第２の反射面は、上記第１の反射面の反射光軸上に於ける上記撮像光学系の結像位置よりも、上記第１の反射面側の位置に配されることを特徴とする請求項１に記載のカメラ。
【請求項３】
上記第１の反射面の反射光軸に於ける上記撮像光学系の結像位置には、上記撮像光学系からの光束を拡散させる拡散面が配置されることを特徴とする請求項２に記載のカメラ。
【請求項４】
撮像光学系からの光束を所定の方向へ向けて反射する第１の反射面と、
上記第１の反射面の反射光軸上に配され、上記第１の反射面からの反射光束を所定の方向へ反射する第２の反射面と、
上記第２の反射面の反射光軸上に配され、上記第２の反射面からの反射光束を所定の方向へ反射する第３の反射面と、
上記第３の反射面の反射光軸上に配され、上記第３の反射面からの反射光束を所定の方向へ反射する第４の反射面と、
上記第１の反射面の反射光軸上であって、上記撮像光学系の結像位置に配されるスクリーンと、
上記第４の反射面の反射光軸上に配され、上記撮像光学系により上記スクリーン上に結像された像を観察するための接眼光学系と、
上記第１の反射面と第２の反射面との間に配され、上記第１の反射面からの反射光束の少なくとも一部を所定の方向へ反射させると共に、上記第１の反射面からの反射光束の他の一部を上記第１の反射面からの反射光軸に沿う方向に透過させる光路分割素子と、
上記光路分割素子からの反射光束を用いて、上記撮像光学系の焦点位置を検出するための焦点位置検出手段と、
を具備することを特徴とするカメラ。
【請求項５】
上記光路分割素子は、上記スクリーンよりも上記第１の反射面側に配置されることを特徴とする請求項４に記載のカメラ。
【請求項６】
上記光路分割素子は、ハーフミラーであることを特徴とする請求項４に記載のカメラ。
【請求項７】
上記光路分割素子は、少なくとも２つのプリズムを組み合わせて形成されるビームスプリッタであることを特徴とする請求項４に記載のカメラ。
【請求項８】
上記光路分割素子と上記スクリーンとが一体的に形成されており、上記光路分割素子の射出面に拡散面が形成されることを特徴とする請求項７に記載のカメラ。
【請求項９】
被写体の光学像を結像する撮像光学系と、
上記光学像を電気信号に変換する光電変換素子と、
上記光電変換素子と上記撮像光学系との間に配され、上記撮像光学系からの光束を、該撮像光学系の光軸と略直角の方向に反射させる第１の反射面と、
上記第１の反射面を上記光電変換素子と上記撮像光学系との間であって上記撮像光学系の光路内に配置された状態と、上記撮像光学系の光路から退避した状態とに切り替える切り替え手段と、
上記第１の反射面の反射光軸上に配置され、上記撮像光学系の光束の少なくとも一部を上記反射光軸とは異なる方向に反射させる第２の反射面と、
上記第２の反射面により反射された光束を用いて焦点位置を検出する焦点位置検出手段と、
を具備することを特徴とするカメラ。
【請求項１０】
被写体の光学像を結像する撮像光学系と、
上記光学像を電気信号に変換する光電変換素子と、
上記光電変換素子と上記撮像光学系との間に配され、該撮像光学系からの光束を撮像光学系の光軸と略直角で、且つカメラの長手方向に沿う方向に反射する第１の反射面と、
上記第１の反射面を上記光電変換素子と上記撮像光学系との間であって上記撮像光学系の光路内に配置された状態と、上記撮像光学系の光路から退避した状態とに切り替える切り替え手段と、
上記第１の反射面の反射光軸上に配置され、上記撮像光学系の結像位置に配置されたスクリーンと、
上記第１の反射面の反射光軸上であって、上記スクリーンを挟んで、上記第１の反射面と反対側に配置され、上記第１の反射面からの反射光束をカメラの長手方向と略直交する方向に反射する第２の反射面と、
上記第２の反射面からの反射光軸上に配置され、上記第２の反射面からの反射光束を上記カメラの長手方向と双方向であって、上記第１の反射面による反射方向と相反する方向に向けて反射する第３の反射面と、
上記第３の反射面からの反射光軸上に配置され、上記第３の反射面からの反射光束をカメラの後方に向けて反射する第４の反射面と、
上記第４の反射面からの反射光軸上に配置され、上記スクリーン上の像を観察するための接眼光学系と、
上記第１の反射面と第２の反射面との間に配され、上記第１の反射面からの反射光束の少なくとも一部を所定の方向へ反射させると共に、上記第１の反射面からの反射光束の他の一部を上記第１の反射面からの反射光軸に沿う方向に透過させる光路分割素子と、
上記光路分割素子からの反射光を用いて、上記撮像光学系の焦点位置を検出するための焦点位置検出手段と、
を具備することを特徴とするカメラ。
【請求項１１】
上記第１乃至第４の反射面は、反射鏡若しくは反射プリズムの組み合わせで構成されていることを特徴とする請求項１０に記載のカメラ。
【請求項１２】
撮像光学系からの光束を、撮影視野範囲の長手方向へ向けて反射する第１の反射面と、
上記第１の反射面の反射光軸上に配置され、上記第１の反射面からの反射光束の少なくとも一部を上記反射光軸とは異なる方向に向けて反射する第２の反射面と、
上記第２の反射面からの反射光束を用いて、上記撮像光学系の焦点位置を検出する焦点位置検出手段と、
を具備することを特徴とするカメラ。
【請求項１３】
撮像光学系から入射する光束を、撮影視野範囲の長手方向である第１の方向に反射する第１の反射面と、
上記第１の反射面の反射光軸上に配され、上記第１の反射面からの反射光束を、上記第１の方向と略直交する第２の方向に反射する第２の反射面と、
上記第２の反射面の反射光軸上に配され、上記第２の反射面からの反射光束を、上記第１の方向と反対の第３の方向に反射する第３の反射面と、
上記第３の反射面の反射光軸上に配され、上記第３の反射面からの反射光束を、上記撮像光学系から入射する光束の入射方向と略同一方向に反射する第４の反射面と、
上記第１の反射面の反射光軸上であって、上記撮像光学系の結像位置に配されるスクリーンと、
上記第４の反射面の反射光軸上に配され、上記撮像光学系により上記スクリーン上に結像された像を観察するための接眼光学系と、
上記第１の反射面と第２の反射面との間に配され、上記第１の反射面からの反射光束の少なくとも一部を所定の方向へ反射させると共に、上記第１の反射面からの反射光束の他の一部を上記第１の反射面からの反射光軸に沿う方向に透過させる光路分割素子と、
上記光路分割素子からの反射光を用いて、上記撮像光学系の焦点位置を検出する焦点位置検出手段と、
を具備することを特徴とするカメラ。
【請求項１４】
上記光路分割素子は、上記スクリーンよりも上記第１の反射面側に配置されることを特徴とする請求項１３に記載のカメラ。
【請求項１５】
上記光路分割素子は、ハーフミラーであることを特徴とする請求項１３に記載のカメラ。
【請求項１６】
上記光路分割素子は、少なくとも２つのプリズムを組み合わせて形成されるビームスプリッタであることを特徴とする請求項１３に記載のカメラ。
【請求項１７】
被写体の光学像を結像する撮像光学系と、
上記光学像を電気信号に変換する光電変換素子と、
上記光電変換素子と上記撮像光学系との間に配され、上記撮像光学系からの光束を、撮影視野範囲の長手方向である第１の方向に反射させる第１の反射面と、
上記第１の反射面を、上記光電変換素子と上記撮像光学系との光路間に配置された状態と、上記光路から退避した状態とに切り替える切り替え手段と、
上記第１の反射面の反射光軸上に配置され、上記撮像光学系の光束の少なくとも一部を上記反射光軸とは異なる方向に反射させる第２の反射面と、
上記第２の反射面により反射された光束を用いて焦点位置を検出する焦点位置検出手段と、
を具備することを特徴とするカメラ。
【請求項１８】
被写体の光学像を結像する撮像光学系と、
上記光学像を電気信号に変換する光電変換素子と、
上記光電変換素子と上記撮像光学系との間に配され、該撮像光学系から入射する光束を撮像光学系の光軸と略直角で、撮影視野範囲の長手方向である第１の方向に反射する第１の反射面と、
上記第１の反射面を上記光電変換素子と上記撮像光学系との光路間に配置された状態と、上記光路から退避した状態とに切り替える切り替え手段と、
上記第１の反射面の反射光軸上に配置され、上記撮像光学系の結像位置に配置されたスクリーンと、
上記第１の反射面の反射光軸上であって、上記スクリーンを挟んで、上記第１の反射面の反対側に配置され、上記第１の反射面からの反射光束を、上記第１の方向と略直交する第２の方向に反射する第２の反射面と、
上記第２の反射面の反射光軸上に配され、上記第２の反射面からの反射光束を、上記第１の方向と反対の第３の方向に反射する第３の反射面と、
上記第３の反射面の反射光軸上に配され、上記第３の反射面からの反射光束を、上記撮像光学系から入射する光束の入射方向と略同一方向に反射する第４の反射面と、
上記第４の反射面からの反射光軸上に配置され、上記スクリーン上の像を観察するための接眼光学系と、
上記第１の反射面と第２の反射面との間に配され、上記第１の反射面からの反射光束の少なくとも一部を所定の方向へ反射させると共に、上記第１の反射面からの反射光束の他の一部を上記第１の反射面からの反射光軸に沿う方向に透過させる光路分割素子と、
上記光路分割素子からの反射光を用いて、上記撮像光学系の焦点位置を検出する焦点位置検出手段と、
を具備することを特徴とするカメラ。
【請求項１９】
上記第２の反射面は、上記第１の反射面からの反射光束を上記焦点位置検出手段に向けて反射可能な位置と、不可能な位置とに変位可能であることを特徴とする請求項１、９、１２、１７の何れか１に記載のカメラ。
【請求項２０】
上記光路分割素子は、上記第１の反射面からの反射光束を上記焦点位置検出手段に向けて反射可能な位置とも不可能な位置と共に変位可能であることを特徴とする請求項４、１０、１３、１８の何れか１に記載のカメラ。
【発明の詳細な説明】
【技術分野】
【０００１】
本発明は、カメラに係り、特にカメラシステムの中のＴＴＬ式のファインダ機構と自動焦点検出機構に関するものである。
【背景技術】
【０００２】
従来、ＴＴＬ式のファインダ及び自動焦点検出に関する技術としては、ダハブリズムを用いた一眼レフレックス（以下、単に一眼レフと略記する）式のものが一般的である。この一眼レフ式のカメラは、上下に回転駆動されるクイックリターンミラーと、クイックリターンミラーの上方に配置されたスクリーンと、スクリーンの上方に配置されたダハブリズムと、ダハブリズムの後方に配置されたアイピースとから構成されている。
【０００３】
また、この形式ではクイックリターンミラーの後ろに配置されたサブミラーによって光路を下方に曲げ、クイックリターンミラーの配置された空間の下側に自動焦点の検出機構が配置されている。具体的に例えば、下記特許文献１及び特許文献２に示さているように構成されている。
【特許文献１】特開平６−３１３８４４号公報
【特許文献２】特開平７−１７５１２９号公報
【発明の開示】
【発明が解決しようとする課題】
【０００４】
しかしながら、この様な構成にすると、ダハブリズムがカメラ上部に配置され、また、自動焦点検出機構がクイックリターンミラーの配置された空間の下側に位置するためカメラの高さが高くなってしまう。この結果、カメラが大きなものになっていた。
【０００５】
したがって本発明の目的は、ファインダ及び自動焦点検出機構をカメラの高さを高くすることなく配置構成することによって、小型なカメラを提供することにある。
【課題を解決するための手段】
【０００６】
すなわち、請求項１に記載の発明は、撮像光学系からの光束を所定の方向へ向けて反射する第１の反射面と、上記第１の反射面の反射光軸上に配置され、上記第１の反射面からの反射光束の少なくとも一部を上記反射光軸とは異なる方向に向けて反射する第２の反射面と、上記第２の反射面からの反射光束を用いて、上記撮像光学系の焦点位置を検出するための焦点位置検出手段と、を具備することを特徴とする。
【０００７】
請求項２に記載の発明は、請求項１に記載の発明に於いて、上記第２の反射面は、上記第１の反射面の反射光軸上に於ける上記撮像光学系の結像位置よりも、上記第１の反射面側の位置に配されることを特徴とする。
【０００８】
請求項３に記載の発明は、請求項２に記載の発明に於いて、上記第１の反射面の反射光軸に於ける上記撮像光学系の結像位置には、上記撮像光学系からの光束を拡散させる拡散面が配置されることを特徴とする。
【０００９】
請求項４に記載の発明は、撮像光学系からの光束を所定の方向へ向けて反射する第１の反射面と、上記第１の反射面の反射光軸上に配され、上記第１の反射面からの反射光束を所定の方向へ反射する第２の反射面と、上記第２の反射面の反射光軸上に配され、上記第２の反射面からの反射光束を所定の方向へ反射する第３の反射面と、上記第３の反射面の反射光軸上に配され、上記第３の反射面からの反射光束を所定の方向へ反射する第４の反射面と、上記第１の反射面の反射光軸上であって、上記撮像光学系の結像位置に配されるスクリーンと、上記第４の反射面の反射光軸上に配され、上記撮像光学系により上記スクリーン上に結像された像を観察するための接眼光学系と、上記第１の反射面と第２の反射面との間に配され、上記第１の反射面からの反射光束の少なくとも一部を所定の方向へ反射させると共に、上記第１の反射面からの反射光束の他の一部を上記第１の反射面からの反射光軸に沿う方向に透過させる光路分割素子と、上記光路分割素子からの反射光束を用いて、上記撮像光学系の焦点位置を検出するための焦点位置検出手段と、を具備することを特徴とする。
【００１０】
請求項５に記載の発明は、請求項４に記載の発明に於いて、上記光路分割素子は、上記スクリーンよりも上記第１の反射面側に配置されることを特徴とする。
【００１１】
請求項６に記載の発明は、請求項４に記載の発明に於いて、上記光路分割素子は、ハーフミラーであることを特徴とする。
【００１２】
請求項７に記載の発明は、請求項４に記載の発明に於いて、上記光路分割素子は、少なくとも２つのプリズムを組み合わせて形成されるビームスプリッタであることを特徴とする。
【００１３】
請求項８に記載の発明は、請求項７に記載の発明に於いて、上記光路分割素子と上記スクリーンとが一体的に形成されており、上記光路分割素子の射出面に拡散面が形成されることを特徴とする。
【００１４】
請求項９に記載の発明は、被写体の光学像を結像する撮像光学系と、上記光学像を電気信号に変換する光電変換素子と、上記光電変換素子と上記撮像光学系との間に配され、上記撮像光学系からの光束を、該撮像光学系の光軸と略直角の方向に反射させる第１の反射面と、上記第１の反射面を上記光電変換素子と上記撮像光学系との間であって上記撮像光学系の光路内に配置された状態と、上記撮像光学系の光路から退避した状態とに切り替える切り替え手段と、上記第１の反射面の反射光軸上に配置され、上記撮像光学系の光束の少なくとも一部を上記反射光軸とは異なる方向に反射させる第２の反射面と、上記第２の反射面により反射された光束を用いて焦点位置を検出する焦点位置検出手段と、を具備することを特徴とする。
【００１５】
請求項１０に記載の発明は、被写体の光学像を結像する撮像光学系と、上記光学像を電気信号に変換する光電変換素子と、上記光電変換素子と上記撮像光学系との間に配され、該撮像光学系からの光束を撮像光学系の光軸と略直角で、且つカメラの長手方向に沿う方向に反射する第１の反射面と、上記第１の反射面を上記光電変換素子と上記撮像光学系との間であって上記撮像光学系の光路内に配置された状態と、上記撮像光学系の光路から退避した状態とに切り替える切り替え手段と、上記第１の反射面の反射光軸上に配置され、上記撮像光学系の結像位置に配置されたスクリーンと、上記第１の反射面の反射光軸上であって、上記スクリーンを挟んで、上記第１の反射面と反対側に配置され、上記第１の反射面からの反射光束をカメラの長手方向と略直交する方向に反射する第２の反射面と、上記第２の反射面からの反射光軸上に配置され、上記第２の反射面からの反射光束を上記カメラの長手方向と双方向であって、上記第１の反射面による反射方向と相反する方向に向けて反射する第３の反射面と、上記第３の反射面からの反射光軸上に配置され、上記第３の反射面からの反射光束をカメラの後方に向けて反射する第４の反射面と、上記第４の反射面からの反射光軸上に配置され、上記スクリーン上の像を観察するための接眼光学系と、上記第１の反射面と第２の反射面との間に配され、上記第１の反射面からの反射光束の少なくとも一部を所定の方向へ反射させると共に、上記第１の反射面からの反射光束の他の一部を上記第１の反射面からの反射光軸に沿う方向に透過させる光路分割素子と、上記光路分割素子からの反射光を用いて、上記撮像光学系の焦点位置を検出するための焦点位置検出手段と、を具備することを特徴とする。
【００１６】
請求項１１に記載の発明は、請求項１０に記載の発明に於いて、上記第１乃至第４の反射面は、反射鏡若しくは反射プリズムの組み合わせで構成されていることを特徴とする。
【００１７】
請求項１２に記載の発明は、撮像光学系からの光束を、撮影視野範囲の長手方向へ向けて反射する第１の反射面と、上記第１の反射面の反射光軸上に配置され、上記第１の反射面からの反射光束の少なくとも一部を上記反射光軸とは異なる方向に向けて反射する第２の反射面と、上記第２の反射面からの反射光束を用いて、上記撮像光学系の焦点位置を検出する焦点位置検出手段と、を具備することを特徴とする。
【００１８】
請求項１３に記載の発明は、撮像光学系から入射する光束を、撮影視野範囲の長手方向である第１の方向に反射する第１の反射面と、上記第１の反射面の反射光軸上に配され、上記第１の反射面からの反射光束を、上記第１の方向と略直交する第２の方向に反射する第２の反射面と、上記第２の反射面の反射光軸上に配され、上記第２の反射面からの反射光束を、上記第１の方向と反対の第３の方向に反射する第３の反射面と、上記第３の反射面の反射光軸上に配され、上記第３の反射面からの反射光束を、上記撮像光学系から入射する光束の入射方向と略同一方向に反射する第４の反射面と、上記第１の反射面の反射光軸上であって、上記撮像光学系の結像位置に配されるスクリーンと、上記第４の反射面の反射光軸上に配され、上記撮像光学系により上記スクリーン上に結像された像を観察するための接眼光学系と、上記第１の反射面と第２の反射面との間に配され、上記第１の反射面からの反射光束の少なくとも一部を所定の方向へ反射させると共に、上記第１の反射面からの反射光束の他の一部を上記第１の反射面からの反射光軸に沿う方向に透過させる光路分割素子と、上記光路分割素子からの反射光を用いて、上記撮像光学系の焦点位置を検出する焦点位置検出手段と、を具備することを特徴とする。
【００１９】
請求項１４に記載の発明は、請求項１３に記載の発明に於いて、上記光路分割素子は、上記スクリーンよりも上記第１の反射面側に配置されることを特徴とする。
【００２０】
請求項１５に記載の発明は、請求項１３に記載の発明に於いて、上記光路分割素子は、ハーフミラーであることを特徴とする。
【００２１】
請求項１６に記載の発明は、請求項１３に記載の発明に於いて、上記光路分割素子は、少なくとも２つのプリズムを組み合わせて形成されるビームスプリッタであることを特徴とする
請求項１７に記載の発明は、被写体の光学像を結像する撮像光学系と、上記光学像を電気信号に変換する光電変換素子と、上記光電変換素子と上記撮像光学系との間に配され、上記撮像光学系からの光束を、撮影視野範囲の長手方向である第１の方向に反射させる第１の反射面と、上記第１の反射面を、上記光電変換素子と上記撮像光学系との光路間に配置された状態と、上記光路から退避した状態とに切り替える切り替え手段と、上記第１の反射面の反射光軸上に配置され、上記撮像光学系の光束の少なくとも一部を上記反射光軸とは異なる方向に反射させる第２の反射面と、上記第２の反射面により反射された光束を用いて焦点位置を検出する焦点位置検出手段と、を具備することを特徴とする。
【００２２】
請求項１８に記載の発明は、被写体の光学像を結像する撮像光学系と、上記光学像を電気信号に変換する光電変換素子と、上記光電変換素子と上記撮像光学系との間に配され、該撮像光学系から入射する光束を撮像光学系の光軸と略直角で、撮影視野範囲の長手方向である第１の方向に反射する第１の反射面と、上記第１の反射面を上記光電変換素子と上記撮像光学系との光路間に配置された状態と、上記光路から退避した状態とに切り替える切り替え手段と、上記第１の反射面の反射光軸上に配置され、上記撮像光学系の結像位置に配置されたスクリーンと、上記第１の反射面の反射光軸上であって、上記スクリーンを挟んで、上記第１の反射面の反対側に配置され、上記第１の反射面からの反射光束を、上記第１の方向と略直交する第２の方向に反射する第２の反射面と、上記第２の反射面の反射光軸上に配され、上記第２の反射面からの反射光束を、上記第１の方向と反対の第３の方向に反射する第３の反射面と、上記第３の反射面の反射光軸上に配され、上記第３の反射面からの反射光束を、上記撮像光学系から入射する光束の入射方向と略同一方向に反射する第４の反射面と、上記第４の反射面からの反射光軸上に配置され、上記スクリーン上の像を観察するための接眼光学系と、上記第１の反射面と第２の反射面との間に配され、上記第１の反射面からの反射光束の少なくとも一部を所定の方向へ反射させると共に、上記第１の反射面からの反射光束の他の一部を上記第１の反射面からの反射光軸に沿う方向に透過させる光路分割素子と、上記光路分割素子からの反射光を用いて、上記撮像光学系の焦点位置を検出する焦点位置検出手段と、を具備することを特徴とする。
【００２３】
請求項１９に記載の発明は、請求項１、９、１２、１７の何れか１に記載の発明に於いて、上記第２の反射面は、上記第１の反射面からの反射光束を上記焦点位置検出手段に向けて反射可能な位置と、不可能な位置とに変位可能であることを特徴とする。
【００２４】
請求項２０に記載の発明は、請求項４、１０、１３、１８の何れか１に記載の発明に於いて、上記光路分割素子は、上記第１の反射面からの反射光束を上記焦点位置検出手段に向けて反射可能な位置とも不可能な位置と共に変位可能であることを特徴とする。
【発明の効果】
【００２５】
本発明によれば、ファインダ光学系及び自動焦点検出用の光学系を効率良く空間配置が可能で、より高さを抑えた小型のカメラを提供することができる。
【発明を実施するための最良の形態】
【００２６】
以下、図面を参照して、本発明の実施形態を説明する。
【００２７】
（第１の実施形態）
図１は、本発明の第１の実施形態に係るカメラのシステム構成を示すブロック図である。
【００２８】
図１に於いて、このカメラシステムは、交換レンズとしてのレンズユニット１０と、カメラ本体としてのボディユニット３０から主に構成されており、ボディユニット３０の前面に対して、所望のレンズユニット１０が着脱自在に設定されている。
【００２９】
上記レンズユニット１０は、上記ボディユニット３０の前面に設けられた、図示されないレンズマウントを介して着脱自在に装着可能である。そして、上記レンズユニット１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００３０】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズユニット１０内の各部を駆動制御する。このＬμｃｏｍ１５は、通信コネクタ２０を介して、後述するボディ制御用マイクロコンピュータ５０と電気的に接続がなされ、該ボディ制御用マイクロコンピュータ５０の指令に従って制御される。
【００３１】
一方、ボディユニット３０は、以下のように構成されている。
【００３２】
レンズユニット１０内の撮影レンズ１１、絞り１２を介して入射される図示されない被写体からの光束は、第１ミラーとしてのクイックリターンミラー３１で反射され、第２ミラー７３、第３ミラー７４、第５ミラー７５等を含むファィンダ光学系（図２、図３参照、詳細は後述する）を介して、接眼光学系の接眼レンズ（アイピース）３３に至る。また、クイックリターンミラー３１で反射された被写体光束の一部は、後述するハーフミラー７１で更に反射されて自動測距を行うための焦点位置検出手段であるＡＦセンサユニット３５に導かれる。
【００３３】
上記クイックリターンミラー３１の後方には、光軸上のフォーカルプレーン式のシャッタ３７と、ＣＣＤユニット４０を保護する透明な光学ローパスフィルタ３８と、光学系を通過した被写体像を光電変換するための光電変換素子であるＣＣＤユニット４０が設けられている。つまり、クイックリターンミラー３１が光路より退避した場合、撮影レンズ１１及び絞り１２を通った光束は、ＣＣＤユニット４０の撮像面上に結像される。
【００３４】
尚、上記ＣＣＤユニット４０のＣＣＤの撮像範囲の長手方向とカメラ（ボディユニット３０）の長手方向は一致している。また、カメラシステムの撮影視野範囲の長手方向もカメラの長手方向と同一方向である。
【００３５】
このボディユニット３０は、画像処理を行うための画像処理コントローラ４６を有しており、この画像処理コントローラ４６には、ＣＣＤユニット４０に接続されたＣＣＤインターフェース回路４１と、記憶領域として設けられたＳＤＲＡＭ４２、ＦｌａｓｈＲｏｍ４３及び記録メディア４４と、液晶モニタ４５等が接続されている。これらは、電子撮像機能と共に電子記録表示機能を提供できるように構成されている。
【００３６】
上記記録メディア４４は、図示されないカメラのインターフェースを介してボディユニット３０に対し脱着可能な各種のメモリカードや外付けのハードディスクドライブ（ＨＤＤ）等の外部記録媒体である。
【００３７】
上記画像処理コントローラ４６は、測光回路５１を介した測光センサ５２と、ミラー駆動機構５４と、ＡＦセンサ駆動回路５５と、シャッタチャージ機構５６と、シャッタ制御回路５７と、不揮発性メモリ（ＥＥＰＲＯＭ）５８と、ストロボ制御回路６１を介したストロボ６２等と共に、このボディユニット５０内の各部を制御するためのボディ制御用マイクロコンピュータ（以下、Ｂμｃｏｍと略記する）５０に接続されている。
【００３８】
上記Ｂμｃｏｍ５０には、更に、当該カメラの動作状態を表示出力によって撮影者へ告知するための動作表示用ＬＣＤ６３と、カメラ操作スイッチ（ＳＷ）６４と、電源回路６５を介して電池６６とが接続されている。
【００３９】
尚、上記Ｂμｃｏｍ５０とＬμｃｏｍ１５とは、レンズユニット１０の装着時に於いて、通信コネクタ２０を介して通信可能に電気的接続がなされる。そして、デジタルカメラとしてＬμｃｏｍ１５がＢμｃｏｍ５０に従属的に協働しながら稼動するようになっている。
【００４０】
上記測光回路５１は、測光センサ５２の電気信号に基づいて測光処理する回路である。上記ミラー駆動機構５４はクイックリターンミラー３１を駆動制御する機構であり、ＡＦセンサ駆動回路５５は上記ＡＦセンサユニット３５を駆動制御するための回路である。
【００４１】
また、シャッタチャージ機構５６は、上記シャッタ３７の先幕と後幕を駆動するばねをチャージするものである。シャッタ制御回路５７は、上記シャッタ３７の先幕と後幕の動きを制御すると共に、Ｂμｃｏｍ５０との間でシャッタの開閉動作を制御する信号とストロボと同調する信号の授受を行う。
【００４２】
不揮発性メモリ５８は、上述したＳＤＲＡＭ４２、ＦｌａｓｈＲｏｍ４３、記録メディア４４以外の記憶領域として、カメラ制御に必要な所定の制御パラメータを記憶する記憶手段であり、Ｂμｃｏｍ５０からアクセス可能に設けられている。
【００４３】
ストロボ６２は、図示されない閃光発光管を有して被写体に閃光を照射するものである。そして、ストロボ制御回路６１にて、ストロボ６２の閃光発光管の発光に必要な電荷の充電制御や、ストロボ６２の発光制御が行われる。
【００４４】
動作表示用ＬＣＤ６３は、当該カメラの動作状態を表示出力によってユーザへ告知するためのものである。上記カメラ操作スイッチ６４は切り替え手段として、例えば撮影動作の実行を指示すると共に後述するようにクイックリターンミラー３１を撮影光路の内外に切り替えるレリーズスイッチ、撮影モードと画像表示モードを切り替えるモード変更スイッチ及びパワースイッチ、等、当該カメラを操作するために必要な操作釦を含むスイッチ群で構成される。
【００４５】
更に、電源回路６５は、電源としての電池６６の電圧を、当該カメラシステムの各回路ユニットが必要とする電圧に変換して供給するために設けられている。
【００４６】
次に、上述したファインダ光学系について、図２及び図３を参照して説明する。
【００４７】
図２及び図３は、第１の実施形態に於いてファインダ観察状態であってファインダ光学系及びＡＦセンサユニット３５の主要構成部材をカメラボディに組み込んだ状態の配置を示したもので、図２は撮影レンズ側から見た正面図、図３はカメラボディの上面側より見た図である。
【００４８】
また、以下の説明に於いて、カメラの通常の使用状態、すなわち通常の撮影時に撮影者がカメラを構えた場合のカメラの状態を横位置として、ボディユニット３０の長手方向を視野範囲の長手方向と一致させて水平方向としている。
【００４９】
このファインダ光学系は、レンズユニット１０内の撮影レンズ１１を通過した被写体からの光束をアイピース３３へと導くための複数のミラー、すなわち第１ミラーとしてのクイックリターンミラー３１と、第２ミラー７３と、第３ミラー７４と、第４ミラー７５と、ハーフミラー７１と、スクリーン７２とを有して構成される。
【００５０】
上記撮影レンズ１１を通過した被写体からの光束は、図示矢印Ａ方向に回動可能な第１の反射部材としてのクイックリターンミラー３１に至る。このクイックリターンミラー３１は、被写体観察時は図２及び図３に実線で示されるように、撮影レンズ１１とＣＣＤユニット４０との間であって、撮影レンズ１１の撮影光路内に配置される。そして、撮像時は、クイックリターンミラー３１はミラー駆動機構５４によって、図３に二点鎖線で示される位置に移動、すなわち撮影光路より退避されて、被写体からの光束が、シャッタ３７、光学ローパスフィルタ３８を介してＣＣＤユニット４０に導かれるようになっている。尚、３９はＣＣＤユニット４０と光学ローパスフィルタ３８との間を封止するためのシール部材である。
【００５１】
被写体観察時、クイックリターンミラー３１の第１反射面３１ａにて、撮影レンズ１０から入射した被写体光束は、撮影レンズ１０の光軸に対し略９０°の角度であって、ボディユニット３０の長手方向に沿う方向に反射される。つまり、図２に於いて右方向に反射される。
【００５２】
第１の反射部材であるクイックリターンミラー３１の第１反射面３１ａにて反射された光束は、第１反射面３１ａの反射光軸上であって、この反射光軸に対し所定の角度だけ傾いて配置されるハーフミラー７１に入射する。そして、第１反射面３１ａからの反射光束の一部は、このハーフミラー７１により上記第１反射面３１ａの反射光軸とは異なる方向であって、上記第１反射面３１ａ側に向けて反射される。つまり、第１反射面３１ａからの反射光束の一部は、図２に於いて、ボディユニット３０の左斜め下方向に向けてハーフミラー７１により反射される。一方、上記第１反射面３１ａからの反射光束の他の一部は、ハーフミラー７１を透過し、後述するスクリーン７２を経て、第２ミラー７３に入射する。
【００５３】
第２の反射部材である上記第２ミラー７３は、上記第１の反射面３１ａからの反射光軸上であって、その反射面である第２反射面７３ａが上記第１の反射面３１ａからの反射光軸に対し、所定の角度だけ傾いて配置されている。そして、第２ミラー７３に入射した上記第１反射面３１ａからの反射光束は、上記第１の反射面３１ａからの反射光軸に対し略９０°の角度であって、上記ハーフミラー７１による反射方向とは、上記第１反射面３１ａからの反射光軸を挟んで反対側に向けて反射される。つまり、クリックリターンミラー３１の第１反射面３１ａからの反射光束は、第２ミラー７３の第２反射面７３ａにて、図２に於いてボディユニット３０の上方に向けて反射される。
【００５４】
上記第２ミラー７３の第２反射面７３ａで反射された光束は、第２反射面７３ａの反射光軸上であって、その反射面である第３反射面７４ａが、上記第２反射面７３１ａの反射光軸に対し所定の角度だけ傾いて配置される第３ミラー７４に入射する。
【００５５】
第３の反射部材である第３ミラー７４に入射した上記第２反射面７３ａからの反射光束は、第３ミラー７４の第３反射面７４ａにて、上記第２反射面７３ａからの反射光軸に対し略９０°の角度であって、上記クイックリターンミラー３１の第１反射面３１ａによる反射方向と相反する方向に反射される。つまり、第２ミラー７３の第２反射面７３ａからの反射光束は、第３ミラー７４の第３反射面７４ａにて、図２に於いてボディユニット３０の左方向に向けて反射する。換言すれば、クイックリターンミラー３１の第１反射面３１ａにて反射された光束は、第２、第３ミラー７３、７４によって折り返すように導かれ、第３ミラー７４の第３反射面７３ａの反射光軸は、上記クイックリターンミラー３１の第１反射面３１ａの反射光軸と略平行となる。
【００５６】
上記第３ミラー７４の第３反射面７４ａで反射された光束は、第３反射面７４ａの反射光軸上であって、その反射面である第４反射面７５ａが上記第３ミラー７４の第３反射面７４ａの反射光軸に対し所定の角度だけ傾いて配置される第４ミラー７５に入射する。
【００５７】
第４の反射部材である第４ミラー７５に入射した上記第３反射面７４ａからの反射光束は、第４ミラー７５の第４反射面７５ａにて、上記第３反射面７４ａからの反射光軸に対し略９０°の角度であって、上記撮影レンズ１１からクイックリターンミラー３１への入射方向と相反する方向に反射される。つまり、第３ミラー７４の第３反射面７４ａからの反射光束は、第４ミラー７５の第４反射面７５ａにて、図３に於いて上方、すなわちボディユニット３０の後方に向けて反射される。そして、第４反射面７５ａの反射光軸は、上記撮影レンズ１１の光軸と略平行となっている。
【００５８】
第４ミラー７５の第４反射面７５ａにて反射された光束は、第４反射面７５ａの反射光軸上に配置されたアイピース３３に入射する。
【００５９】
このように、撮影レンズ１１からの被写体光束は、第１乃至第４反射面によって、その像が正立正像となるように反転されてアイピース３３に導かれる。これにより、アイピース３３を通して、撮影者の眼でスクリーン７２上に結像した被写体像が観察可能となる。
【００６０】
尚、本実施形態では、図２及び図３に示されるように、クイックリターンミラー３１、第２ミラー７３、第３ミラー７４及び第４ミラー７５は、入射光束に対して略９０°の角度で反射するように配置しているが、これに限られるものではない。
【００６１】
光路分割素子を構成する上記ハーフミラー７１は、上記第１反射面３１ａの反射光軸上であって、上記スクリーン７２よりも第１反射面３１ａ側、すなわちクイックリターンミラー３１側に配置される。そして、ハーフミラー７１はＡＦ用第１反射面を有しており、ここで透過されずに反射された一部の光束は、ＡＦセンサユニット３５へ導かれる。すなわち、ＡＦ用第１反射面であるハーフミラー７１で反射された光束は、コンデンサレンズ７８を介してＡＦ用第２反射面７９で再度反射される。そして、このＡＦ用第２反射面７９からの光束は、セパレータレンズ８０を介してＡＦセンサ８１に導かれる。このＡＦセンサ８１からの出力がＡＦセンサ駆動回路５５を介してＢμｃｏｍ５０へ送信されて、周知の測距処理が行われる。
【００６２】
上記スクリーン７２は、このファインダ光学系に入射された光束を光学像として結像させるために、該光束を拡散させる拡散面を有するもので、ＣＣＤユニット４０の撮像面上と光学的に等価な位置に配置されている。撮影者は、アイピース３３からこのスクリーン７２上に結像された像を見て、撮影画面を確認することができる。
【００６３】
また、上述した第２ミラー７３の第２反射面７３ａで反射された光束は、測光用レンズ８４で集光されて測光センサ５２に至る。これにより、測光センサ５２にて被写体の明るさが測定される。
【００６４】
このように構成されたデジタルカメラの各部は、次のように稼動する。
【００６５】
先ず、画像処理コントローラ４６により、Ｂμｃｏｍ５０の指令に従ってＣＣＤインターフェース回路４１が制御されて、ＣＣＤユニット４０から画像データが取り込まれる。この画像データは画像処理コントローラ４６でビデオ信号に変換され、液晶モニタ４５にて出力表示される。撮影者は、この液晶モニタ４５の表示画像から、撮影した画像イメージを確認することができる。
【００６６】
また、上記画像データは、一時保管用メモリであるＳＤＲＡＭ４２に取り込まれる。このＳＤＲＡＭ４２は、画像データが変換される際のワークエリア等に使用される。また、この画像データは、ＪＰＥＧデータに変換された後には、記録メディア４４に保管されるように設定されている。
【００６７】
ミラー駆動機構５４は、上述したように、クイックリターンミラー３１を撮像時の退避位置と観察時の観察位置へ駆動するための機構である。ミラー駆動機構５４によってクイックリターンミラー３１が観察位置にあるとき、撮影レンズ１１からの光束は、ＡＦセンサユニット３５側と第２乃至第４ミラー７３〜７５側へと分割されて導かれる。
【００６８】
ＡＦセンサユニット３５内のＡＦセンサ８１からの出力は、ＡＦセンサ駆動回路５５を介してＢμｃｏｍ５０へ送信されて、周知の測距処理が行われる。
【００６９】
また、第４ミラー７５に隣接するアイピース３３からは、撮影者が被写体を目視することができる。更に、スクリーン７２の結像光束の一部は第２ミラー７３で反射されて測光センサ５２へ導かれる。ここで検知された光量に基づいて、測光回路５２にて周知の測光処理が行われる。
【００７０】
シャッタ駆動制御回路５７では、Ｂμｃｏｍ５０からシャッタを駆動制御するための信号が受取られると、その信号に基づいてシャッタ３７が制御される。それと共に、シャッタ駆動制御回路５７から、所定のタイミングでＢμｃｏｍ５０にストロボを発光させるためのストロボ同調信号が出力される。そして、Ｂμｃｏｍ５０からは、このストロボ同調信号に基づいて、ストロボ制御回路６１を介してストロボ６２を発光させる発光指令信号が出力される。
【００７１】
次に、上述したカメラボデイ３０のＢμｃｏｍ５０が行う制御動作について、図４のフローチャートを参照して説明する。
【００７２】
図４は、Ｂμｃｏｍ５０により稼動する制御プログラムの動作を説明するフローチャートである。
【００７３】
カメラシステムのカメラ操作スイッチ６４内の図示されない電源スイッチがオンされると、Ｂμｃｏｍ５０による稼動が開始される。そして、ステップＳ１にて、カメラシステムを起動するための処理が実行される。ここでは、電源回路６５が制御されて、このカメラシステムを構成する各回路ユニットへ電力が供給されると共に、各回路の初期設定が行われる。
【００７４】
ステップＳ２は周期的に実行されるステップであり、Ｌμｃｏｍ１５と通信動作が行われることで、レンズユニット１０の状態が検出される。そして、ステップＳ３に於いて、レンズユニット１０がボディユニット３０に装着されたか否かが判定される。ここで、レンズユニット１０が装着されたことが検出されるとステップＳ６へ移行し、検出されない場合はステップＳ４へ移行する。
【００７５】
ステップＳ４では、レンズユニット１０がボディユニット３０から外されたか否かが判定される。ここで、レンズユニット１０がボディユニット３０から外されたことが検出された場合は、ステップＳ５へ移行する。そして、このステップＳ５にて、制御フラグＦ＿Ｌｅｎｓがリセットされた後、ステップＳ７へ移行する。一方、上記ステップＳ４にてレンズユニット１０が外されたことが検出されない場合は、ステップＳ５をスキップしてステップＳ７へ移行する。
【００７６】
ステップＳ７では、制御フラグＦ＿Ｌｅｎｓが“１”にセットされる。この制御フラグは、当該カメラシステムのボディユニット３０にレンズユニット１０が装着されている期間は“１”を示し、レンズユニット１０が外されている期間は“０”を示す。
【００７７】
上記したステップＳ６では、カメラ操作スイッチ６４の状態が検出される。そして、カメラ操作スイッチ６４の状態に応じて、各種モードが設定される。
【００７８】
ステップＳ８では、カメラ操作スイッチ６４の１つである、図示されないファーストレリーズスイッチが操作されたか否かが判定される。ここで、ファーストレリーズスイッチがオンされているならばステップＳ９へ移行し、オフならば上記ステップＳ２へ移行する。
【００７９】
ステップＳ９では、測光回路５１から被写体の輝度情報が入手される。そして、この情報からＣＣＤユニット４０の露光時間（Ｔｖ値）と撮影レンズ１１の絞り設定値（Ａｖ値）が算出される。続くステップＳ１０では、ＡＦセンサ駆動回路５５を経由してＡＦセンサユニット３５の検知データが入手される。このデータに基づいて、ピントのズレ量が算出される。
【００８０】
そして、ステップＳ１１に於いて、上記制御フラグＦ＿Ｌｅｎｓの状態が判定される。ここで、制御フラグＦ＿Ｌｅｎｓが“０”ならばレンズユニット１０が存在しないことを意味するので、続くステップＳ１２以降の撮影動作は実行できない。そのため、この場合は上記ステップＳ２へ移行する。一方、上記制御フラグＦ＿Ｌｅｎｓが“１”ならば、ステップＳ１２に移行して、Ｌμｃｏｍ１５に対してピントのズレ量が通信コネクタ２０を介して送信されて、このズレ量に基づく撮影レンズ１１の駆動が指令される。
【００８１】
ステップＳ１３では、カメラ操作スイッチ６４の１つである、図示されないセカンドレリーズスイッチが操作されたか否かが判定される。ここで、セカンドレリーズスイッチがオンされている場合は、ステップＳ１４へ移行して所定の撮影動作が行われるが、オフの場合は上記ステップＳ２へ移行する。
【００８２】
ステップＳ１４では、先ずＬμｃｏｍ１５へＡｖ値が送信され、絞り１２の駆動が指令される。次いで、ステップＳ１５にて、クイックリターンミラー３１が、図３の矢印Ａ方向に回動して同図に二点鎖線で示される退避位置へ移動する。
【００８３】
更に、ステップＳ１６にてシャッタ３７の先幕走行が開始され、ステップＳ１７にて画像処理コントローラ４６に対して撮像動作の実行が指令される。そして、Ｔｖ値で示される時間、ＣＣＤユニット４０への露光が終了すると、ステップＳ１８にて、シャッタ３７の後幕走行が開始される。
【００８４】
次に、ステップＳ１９では、クイックリターンミラー３１が、図３に実線で示される観察位置に駆動する。また、これと並行してシャッタ３７のチャージ動作が行われる。
【００８５】
そして、ステップＳ２０にて、Ｌμｃｏｍ１５に対して絞り１２が開放位置へ復帰されるように指令され、ステップＳ２１では、画像処理コントローラ４６に対して、撮影された画像データが記録メディア４４へ記録するように指令される。その画像データの記録が終了すると、再び上記ステップＳ２へ移行する。
【００８６】
このように第１の実施形態によれば、クイックリターンミラーで反射された光束を受けるファインダ光学系をカメラボディの長手方向に対して設けたので、カメラボディの高さ方向を低く抑えることができる。
【００８７】
また、従来は中央部のみハーフミラーとしてクイックリターンミラーを構成し、サブミラーを介してＡＦセンサユニットに測距用光束を導いていた。この方式では、サブミラーをクイックリターンミラーとシャッタとの間に配置するので、シャッタとサブミラーとの物理的な干渉を防止するためにサブミラーを大きくすることができない。したがって、撮影範囲に於ける中心部付近の撮影光束しかＡＦセンサユニットに導くことができない。
【００８８】
これに対し、本実施形態では、クイックリターンミラーで撮影レンズからの光束を反射させた後に測距用の光束を導く光路分割素子であるハーフミラーを配置している。これにより、ハーフミラーの大きさを大きくすることが容易であり、例えば、撮影範囲の略全域の光束をＡＦセンサユニットに導き得る。
【００８９】
このように、本実施形態によれば、クイックリターンミラー、ハーフミラーの全面を利用して測距用光束を導くので、測距可能な視野範囲を広くすることが容易であるという利点もある。
【００９０】
更に、本実施形態では、ファインダ光学系を、ハーフミラー７１及びスクリーン７２と、クイックリターンミラー３１、第２ミラー７３、第３ミラー７４及び第４ミラー７５の４つのミラーで構成しているが、これに限られるものではない。
【００９１】
（第２の実施形態）
次に、本発明の第２の実施形態について説明する。
【００９２】
図５及び図６は、本発明の第２の実施形態に於いてファインダ観察状態であってファインダ光学系及びＡＦセンサユニット３５の主要構成部材をカメラボディに組み込んだ状態の配置を示したもので、図５は撮影レンズ側から見た正面図、図６はカメラボディの上面側より見た図である。
【００９３】
上述した第１の実施形態では、ファインダ光学系をクイックリターンミラー３１と、第２乃至第４ミラー７３〜７５、及びハーフミラー７１、スクリーン７２とから構成していたが、本第２実施形態に於いては、クイックリターンミラー３１の他は２つのプリズムとＡＦ用のビームスプリッタによって構成している。
【００９４】
尚、撮影レンズ１１からの被写体光束をアイピース３３まで導く、第１乃至第４反射面のそれぞれに於ける反射方向も第１の実施形態と同様である。
【００９５】
以下、この第２の実施形態について説明するが、ファインダ光学系以外の構成については、図１に示される第１の実施形態のカメラシステムの構成と同じであり、基本的な撮影動作についても上述した第１の実施形態の図４のフローチャートと同様である。したがって、これらの構成及び動作については、同一の部分には同一の参照番号を付して、その図示及び説明は省略する。
【００９６】
図５及び図６に示されるように、撮影レンズ１１を通過した被写体からの光束は、図示矢印Ａ方向に回動可能なクイックリターンミラー３１に至る。被写体観察時、クイックリターンミラー３１の第１反射面３１ａで図５に於いて右方向に反射された被写体からの光束は、その一部を除いて、光路分割素子であるビームスプリッタ９０を透過して、第１プリズム９３の第２反射面９３ａで図５に於いて上方向に再度反射される。そして、該第１プリズム９３の第２反射面９３ａで反射された光束は、第１プリズム９３の第３反射面９３ｂによって、図５に於いて左方向に反射される。更に、第１プリズム９３の第３反射面９３ｂにより反射された光束は、第２プリズム９４の第４反射面９４ａによってアイピース３３の方向へ反射される。これにより、アイピース３３を通して撮影者の眼で観察が可能になる。
【００９７】
尚、本実施形態では、図５及び図６に示されるように、クイックリターンミラー３１、第１プリズム９３の第２反射面９３ａ及び第３反射面９３ｂ、第２プリズム９４の第４反射面９４ａは、入射光束に対して略９０°の角度で反射するように配置しているが、これに限られるものではない。
【００９８】
上記ビームスプリッタ９０は、ＡＦ用第１プリズム９１とＡＦ用第２プリズム９２とが貼り合わされて構成されており、ＡＦ用第１プリズム９１に形成された入射出面９１ａ及び、ＡＦ用第２プリズム９２に形成されたスクリーン面９２ａとが、上記第１反射面３１ａからの反射光軸と垂直となるように配置されている。上記ビームスプリッタ９０は、ＡＦ用第１プリズム９１とＡＦ用第２プリズム９２との貼り合わせ面にハーフミラー９０ａを有している。そして、第１反射面３１ａからの反射光は、ＡＦ用第１プリズム９１に形成された入射出面９１ａからビームスプリッタ９０に入射し、このＡＦ用第１反射面であるハーフミラー９０ａで透過されずに反射された光束は、クイックリターンミラー３１の第１反射面３１ａの反射光軸方向と異なる方向であって、入射出面９１ａに向けて反射される。
【００９９】
ハーフミラー９０ａからの反射光は、入射出面９１ａと同一面上であるＡＦ用第２反射面９１ｂにてＡＦ用第３反射面９１ｃに向けて反射される。尚、ＡＦ用第２反射面９１ｂは、入射出面９１ａ上に形成されるため、ハーフミラー９０ａからの反射光は、ＡＦ用第２反射面９１ｂにて全反射するような角度でＡＦ用第２反射面９１ｂに入射する。
【０１００】
ＡＦ用第２反射面９１ｂからの反射光は、ＡＦ用第３反射面９１ｃにて、上記クイックリターンミラー３１の第１反射面３１ａと略平行な方向であって、第１反射面３１ａの反射方向と相反する方向に向けて反射され、入射出面９１ａを経て、ビームスプリッタ９０から射出される。
【０１０１】
このように、クイックリターンミラー３１の第１反射面３１ａからの反射光のうち、ハーフミラー９０ａにて反射された光束は、ハーフミラー９０ａ、ＡＦ用第２反射面９１ｂのそれぞれにて、クイックリターンミラー３１の第１反射面３１ａの反射光軸から離間する方向に反射された後、ＡＦ用第３反射面９１ｃにてクイックリターンミラー３１の第１反射面３１ａの反射方向と略平行になるように反射されて、ＡＦセンサユニット３５へ導かれる。この場合、ＡＦセンサユニット３５への入射光束は、コンデンサレンズ７８、セパレータレンズ８０を介してＡＦセンサ８１に導かれる。
【０１０２】
また、上記ＡＦ用第２プリズム９２は、ファインダ光学系に入射された光束を光学像として結像させるためのスクリーン面（１次結像面）９２ａを有している。このスクリーン面９２ａは、ＣＣＤユニット４０の撮像面上と光学的に等価な位置に配置されているものであり、その表面は拡散面となっている。そして、撮影者は、アイピース３３からこのスクリーン面９２ａ上に結像された像を見て、撮影画面を確認することができる。
【０１０３】
一方、上記第１プリズム９３の第３反射面９３ｂと相対する位置には、測光／表示用プリズム９５が貼り合わされている。そして、第１プリズム９３の第２反射面９３ａで反射された光束は、その一部を除いて第３反射面９３ｂで反射されるが、該第３反射面９３ｂで反射されない一部の光束は、更に測光／表示用プリズム９５を透過して測光用レンズ８４で集光され、測光センサ５２に至る。これにより、測光センサ５２にて被写体の明るさが測定される。
【０１０４】
尚、本実施形態では、スクリーン面をＡＦ用第２プリズム９２と一体としたが、上述した第１の実施形態のように、別体のスクリーンを用いても良い。また、ビームスプリッタ９０としては、本例の他に種々の形状のものを用いることもできる。例えば、本実施形態では、ハーフミラー９０ａ、ＡＦ用第２、第３反射面９１ｂ、９１ｃにて計３回、反射させた後、ＡＦセンサユニット３５に光束を導いているが、これに限らず、ハーフミラー９０ａに於ける一回反射、或いは、ハーフミラー９０ａ、ＡＦ用第２反射面９１ｂに於ける二回反射でＡＦセンサユニット３５に光束を導くことも可能であり、ビームスプリッタに於ける反射回数は何回でも良い。
【０１０５】
更に、上記測光／表示用プリズム９５の近傍であって、スクリーン面９２ａと光学的に等価な位置には表示用マスク９７及び表示用ＬＥＤ９８が設けられている。この表示用ＬＥＤ９８に表示されるＡＦ、ＡＥ等の各種情報が、表示用マスク９７を介して、測光／表示用プリズム９５第１プリズム９３の第３反射面９３ｂを透過し、第２プリズム９４の第４反射面９４ａで反射されてアイピース３３から視認可能になる。これにより、アイピース３３を通してファインダ内に上記各種情報がスーパーインポーズ表示される。
【０１０６】
（第３の実施形態）
次に、本発明の第３の実施形態について説明する。
【０１０７】
上述した第１の実施形態に於いて、ＡＦセンサユニット３５用にハーフミラー７１を設けているが、これを回動可能とすることによって更に図２に於いてカメラボディを横方向に小型化することが可能である。
【０１０８】
図７及び図８は、本発明の第３の実施形態に於いてファインダ観察状態であってファインダ光学系及びＡＦセンサユニット３５の主要構成部材をカメラボディに組み込んだ状態の配置を示したもので、図７は撮影レンズ側から見た正面図、図８はカメラボディの上面側より見た図である。
【０１０９】
このファインダ光学系に於いて、撮影レンズ１１を通過した被写体からの光束は、図８に矢印Ａ方向に回動可能なクイックリターンミラー（第１反射面）３１に至る。そして、被写体観察時、クイックリターンミラー３１で図８に於いて右方向に反射された被写体からの光束は、その一部を除いてハーフミラー７１を透過して、スクリーン７２へ導かれる。
【０１１０】
ここで、ハーフミラー７１は図７にて矢印Ｂ方向に回動可能とされるもので、被写体観察時は図７及び図８に実線で示される位置に配置される。そして、撮像時は、クイックリターンミラー３１と同様に、撮影光路より退避して図７に二点鎖線で示される位置に移動する。このとき、クイックリターンミラー３１も図８に二点鎖線で示される位置に移動する。
【０１１１】
つまり、光路分割素子であるハーフミラー７１は、クイックリターンミラー３１の第１反射面３１ａからの反射光束を、ＡＦセンサユニット３５に向けて反射可能な位置と、不可能な位置とに移動可能なように設けられている。
【０１１２】
尚、このハーフミラー７１の構成以外は、基本的に図１乃至図４に示される上述した第１の実施形態と同じであるので、これらの構成及び動作については、同一の部分には同一の参照番号を付して、その図示及び説明は省略する。
【０１１３】
このように、ハーフミラー７１を回動可能にして、撮像時に撮影光路から退避させるようにすることで、撮影光路からハーフミラー７１までの距離を短くすることが可能である。これにより、スクリーン７２、第２ミラー７３、第３ミラー７４、第４ミラー７５等も、上述した第１の実施形態に比べて撮影光路寄りに配置することが可能となる。したがって、図７及び図８に於いてボディユニット３０の横方向の大きさも小型化することが可能となる。
【０１１４】
また、上述した第１乃至第３の実施形態では、ファインダ光学系に第１乃至第４ミラー、第１及び第２プリズム、ＡＦ用にハーフミラー、ビームスプリッタ等を使用したが、上述した構成だけでなく、例えばミラーとビームスプリッタを組み合わせて構成しても良いのは勿論である。
【０１１５】
更に、上述した実施形態ではデジタルカメラを例として説明したが、これに限られるものではなく、フィルム使用の一眼レフカメラにも適用可能である。
【０１１６】
以上、本発明の実施形態について説明したが、本発明は上述した実施形態以外にも、本発明の要旨を逸脱しない範囲で種々の変形実施が可能である。
【図面の簡単な説明】
【０１１７】
【図１】本発明の第１の実施形態に係るカメラのシステム構成を示すブロック図である。
【図２】第１の実施形態に於いてファインダ観察状態であってファインダ光学系及びＡＦセンサユニット３５の主要構成部材をカメラボディに組み込んだ状態の配置を示したもので、撮影レンズ側から見た正面図である。
【図３】第１の実施形態に於いてファインダ観察状態であってファインダ光学系及びＡＦセンサユニット３５の主要構成部材をカメラボディに組み込んだ状態の配置を示したもので、カメラボディの上面側より見た図である。
【図４】カメラボデイ３０のＢμｃｏｍ５０が行う制御動作を説明するフローチャートである。
【図５】本発明の第２の実施形態に於いてファインダ観察状態であってファインダ光学系及びＡＦセンサユニット３５の主要構成部材をカメラボディに組み込んだ状態の配置を示したもので、撮影レンズ側から見た正面図である。
【図６】本発明の第２の実施形態に於いてファインダ観察状態であってファインダ光学系及びＡＦセンサユニット３５の主要構成部材をカメラボディに組み込んだ状態の配置を示したもので、カメラボディの上面側より見た図である。
【図７】本発明の第３の実施形態に於いてファインダ観察状態であってファインダ光学系及びＡＦセンサユニット３５の主要構成部材をカメラボディに組み込んだ状態の配置を示したもので、撮影レンズ側から見た正面図である。
【図８】本発明の第３の実施形態に於いてファインダ観察状態であってファインダ光学系及びＡＦセンサユニット３５の主要構成部材をカメラボディに組み込んだ状態の配置を示したもので、カメラボディの上面側より見た図である。
【符号の説明】
【０１１８】
１０…レンズユニット、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…ボディユニット、３１…クイックリターンミラー、３３…接眼レンズ（アイピース）、３５…ＡＦセンサユニット、３７…シャッタ、３８…光学ローパスフィルタ、４０…ＣＣＤユニット、４１…ＣＣＤインターフェース回路、４５…液晶モニタ、４６…画像処理コントローラ、５０…ボディ制御用マイクロコンピュータ（Ｂμｃｏｍ）、５１…測光回路、５２…測光センサ、５４…ミラー駆動機構、５５…ＡＦセンサ駆動回路、５６…シャッタチャージ機構、５７…シャッタ制御回路、５８…不揮発性メモリ（ＥＥＰＲＯＭ）、６２…ストロボ、６３…動作表示用ＬＣＤ、６４…カメラ操作スイッチ（ＳＷ）、６５…電源回路、７１…ハーフミラー、７２…スクリーン、７３…第２ミラー、７４…第３ミラー、７５…第４ミラー。
【図１】
2005221952.tif 000003
【図２】
2005221952.tif 000004
【図３】
2005221952.tif 000005
【図４】
2005221952.tif 000006
【図５】
2005221952.tif 000007
【図６】
2005221952.tif 000008
【図７】
2005221952.tif 000009
【図８】
2005221952.tif 000010